(57)【要約】【課題】表硝子と前面部材との隙間からの表示部の他の表示の視認を防止することができる表示機器を提供する。【解決手段】表示部３と、この表示部３の前面側に設けられる表硝子５と、この表硝子５の前面側に設けられ表示部３を表硝子５を介して視認可能とする前面部材７とを備えた表示機器１において、表硝子５と前面部材７との間に、表硝子５と前面部材７との隙間から表硝子５を透過する光路を遮断する遮断部材９を配置した。【選択図】図３
2014006464.tif 000002
【特許請求の範囲】
【請求項１】
表示部と、この表示部の前面側に設けられる表硝子と、この表硝子の前面側に設けられ前記表示部を前記表硝子を介して視認可能とする前面部材とを備えた表示機器であって、
前記表硝子と前記前面部材との間には、前記表硝子と前記前面部材との隙間から前記表硝子を透過する光路を遮断する遮断部材が配置されていることを特徴とする表示機器。
【請求項２】
請求項１記載の表示機器であって、
前記表示部と前記表硝子との間には、見返しが設けられていることを特徴とする表示機器。
【請求項３】
請求項１又は２記載の表示機器であって、
前記遮断部材は、弾性部材からなることを特徴とする表示機器。
【発明の詳細な説明】
【技術分野】
【０００１】
本発明は、車両に適用される表示機器に関する。
【背景技術】
【０００２】
従来、表示機器としては、表示部としての表示部材と、この表示部材の前面側に設けられる表硝子としてのカバープレートと、このカバープレートの前面側に設けられ表示部材をカバープレートを介して視認可能とする前面部材としての装飾リングとを備えたものが知られている（例えば、特許文献１参照）。
【０００３】
この表示機器では、カバープレートの前面側に装飾リングを設けることにより、高級感を持たせつつ、カバープレートを介して視認される表示部材に奥行き感や立体感を出させている。
【先行技術文献】
【特許文献】
【０００４】
【特許文献１】特開２００９−６７３６９号公報
【発明の概要】
【発明が解決しようとする課題】
【０００５】
ところで、上記特許文献１のような表示機器では、表示部の所定部分に前面部材を設けることによって、表示部の他の表示より所定部分の表示に奥行き感や立体感を与え、表示部の所定部分を強調させることがある。
【０００６】
しかしながら、上記特許文献１のような表示機器では、表硝子の前面側に前面部材が組付けられているだけであるので、表硝子と前面部材との間に隙間が生じることがある。このような隙間は、正面方向からの視線では視認することができないが、斜め方向からの視線では透明である表硝子を介して表示部の所定部分と隣接する他の表示を視認させてしまう。
【０００７】
そこで、この発明は、表硝子と前面部材との隙間からの表示部の他の表示の視認を防止することができる表示機器の提供を目的としている。
【課題を解決するための手段】
【０００８】
請求項１記載の発明は、表示部と、この表示部の前面側に設けられる表硝子と、この表硝子の前面側に設けられ前記表示部を前記表硝子を介して視認可能とする前面部材とを備えた表示機器であって、前記表硝子と前記前面部材との間には、前記表硝子と前記前面部材との隙間から前記表硝子を透過する光路を遮断する遮断部材が配置されていることを特徴とする。
【０００９】
この表示機器では、表硝子と前面部材との間に表硝子と前面部材との隙間から表硝子を透過する光路を遮断する遮断部材が配置されているので、表硝子と前面部材との間に隙間が生じたとしても、隙間から表硝子を介して表示部の所定部分と隣接する他の表示が視認されることがない。
【００１０】
従って、このような表示機器では、遮断部材が表硝子を透過する光路を遮断するので、表硝子と前面部材との隙間からの表示部の他の表示の視認を防止することができる。
【００１１】
請求項２記載の発明は、請求項１記載の表示機器であって、前記表示部と前記表硝子との間には、見返しが設けられていることを特徴とする。
【００１２】
この表示機器では、表示部と表硝子との間に見返しが設けられているので、表示部の表示をさらに区画することができ、表硝子と前面部材との隙間から細分化された他の表示が視認されることを防止することができる。
【００１３】
請求項３記載の発明は、請求項１又は２記載の表示機器であって、前記遮断部材は、弾性部材からなることを特徴とする。
【００１４】
この表示機器では、遮断部材が弾性部材からなるので、表硝子と前面部材との隙間に遮断部材を密着して配置させることができ、表硝子と前面部材との隙間を確実に埋めることができる。
【発明の効果】
【００１５】
本発明によれば、表硝子と前面部材との隙間からの表示部の他の表示の視認を防止することができる表示機器を提供することができるという効果を奏する。
【図面の簡単な説明】
【００１６】
【図１】本発明の実施の形態に係る表示機器の正面図である。
【図２】本発明の実施の形態に係る表示機器の分解斜視図である。
【図３】本発明の実施の形態に係る表示機器の断面図である。
【発明を実施するための形態】
【００１７】
図１〜図３を用いて本発明の実施の形態に係る表示機器について説明する。
【００１８】
本実施の形態に係る表示機器１は、自動車に搭載される自動車用表示機器であり、表示部３と、この表示部３の前面側に設けられる表硝子５と、この表硝子５の前面側に設けられ表示部３を表硝子５を介して視認可能とする前面部材７とを備えている。
【００１９】
そして、表硝子５と前面部材７との間には、表硝子５と前面部材７との隙間から表硝子５を透過する光路を遮断する遮断部材９が配置されている。
【００２０】
また、表示部３と表硝子５との間には、見返し１１が設けられている。
【００２１】
さらに、遮断部材９は、弾性部材からなる。
【００２２】
図１〜図３に示すように、表示機器１は、表示部３と、見返し１１と、表硝子５と、前面部材７と、遮断部材９とを備えている。表示部３は、ケース１３と、文字板１４とで構成されている。
【００２３】
ケース１３は、合成樹脂材料からなり、上下に２分割された２つのケース部材からなる。この２つのケース部材は、係止部を係止させることにより一体的に固定され、内部にバックライトや指針を回転させる機器、表示や指針を発光させる光源、これらを制御する配線基板などが収容されている。
【００２４】
このケース１３は、下側のケース部材が車体側に固定され、上側のケース部材に文字板１４が収容される。
【００２５】
文字板１４は、中央部に目盛りや数字が付され指針が設けられた速度計１５と、この速度計１５の両側に目盛りや数字が付され指針が設けられた水温計１７及び燃料計１９と、これら水温計１７及び燃料計１９の両側に運転者に警告やシフト状況などを発信するウォーニング表示２１，２３などを備えている。
【００２６】
なお、このような表示部３は、ＴＦＴ−ＬＣＤで構成された、いわゆるグラフィックメータとなっている。そこで、以下、表示部３をＴＦＴ−ＬＣＤ３と表記する。
【００２７】
このＴＦＴ−ＬＣＤ３の前面側には、見返し１１が設けられ、速度計１５と、水温計１７及び燃料計１９と、ウォーニング表示２１，２３とが区画される。
【００２８】
見返し１１は、合成樹脂材料からなり、文字板１４の前面側で文字板１４の周囲を覆うように設けられ、周囲に設けられた係止部をケース１３に係止させることによりケース１３に一体的に固定される。
【００２９】
この見返し１１は、中央部に環状に設けられ速度計１５と水温計１７及び燃料計１９とを区画する環状壁部２５と、この環状壁部２５の両側に上下に位置する周壁部と連結して設けられ水温計１７及び燃料計１９とウォーニング表示２１，２３とを区画する区画壁部２７，２９とを備えている。
【００３０】
このような見返し１１の前面側には、表硝子５が設けられ、ＴＦＴ−ＬＣＤ３の各表示を透過して運転者に表示する。
【００３１】
表硝子５は、透過性を有する材料からなり、見返し１１の前面側に見返し１１の周囲を覆うように設けられ、周囲に設けられた係止部を見返し１１に係止させることにより見返し１１に一体的に固定される。
【００３２】
この表硝子５の前面側には、前面部材７が設けられ、ＴＦＴ−ＬＣＤ３に奥行きを与えると共に、表硝子５を透過するＴＦＴ−ＬＣＤ３の表示に立体感を与える。
【００３３】
前面部材７は、合成樹脂材料からなり、表硝子５の前面側に表硝子５及び見返し１１の周囲を覆うように設けられ、周囲に設けられた係止部をケース１３に係止させることによりケース１３に一体的に固定される。
【００３４】
この前面部材７は、中央部に環状に設けられ速度計１５の表示に立体感を与える装飾部３１が設けられている。なお、前面部材７は、ＴＦＴ−ＬＣＤ３の表示に奥行きや立体感を与える他に、表示機器１に高級感を与えるため、装飾部材とも称される。
【００３５】
このような前面部材７の装飾部３１と表硝子５との間には、遮断部材９が設けられ、表硝子５と前面部材７との隙間から表硝子５を透過する光路を遮断する。
【００３６】
遮断部材９は、黒色のゴムなどの弾性材料からなり、表硝子５と前面部材７の装飾部３１との間に密着して設けられ、表硝子５と前面部材７の装飾部３１との隙間を埋める。
【００３７】
この遮断部材９は、表硝子５と前面部材７との隙間から表硝子５を透過する光路を遮断する。このため、図３の矢印で示すように、運転者などが前面部材７の装飾部３１の斜め方向から視線を向けたときに、装飾部３１と表硝子５との隙間から水温計１７及び燃料計１９の表示が視認されることがない。
【００３８】
このような表示機器１では、表硝子５と前面部材７との間に表硝子５と前面部材７との隙間から表硝子５を透過する光路を遮断する遮断部材９が配置されているので、表硝子５と前面部材７との間に隙間が生じたとしても、隙間から表硝子５を介してＴＦＴ−ＬＣＤ３の所定部分（ここでは速度計１５）と隣接する他の表示（ここでは水温計１７及び燃料計１９）が視認されることがない。
【００３９】
従って、このような表示機器１では、遮断部材９が表硝子５を透過する光路を遮断するので、表硝子５と前面部材７との隙間からのＴＦＴ−ＬＣＤ３の他の表示の視認を防止することができる。
【００４０】
また、ＴＦＴ−ＬＣＤ３と表硝子５との間には、見返し１１が設けられているので、ＴＦＴ−ＬＣＤ３の表示をさらに区画することができ、表硝子５と前面部材７との隙間から細分化された他の表示が視認されることを防止することができる。
【００４１】
さらに、遮断部材９は、弾性部材からなるので、表硝子５と前面部材７との隙間に遮断部材９を密着して配置させることができ、表硝子５と前面部材７との隙間を確実に埋めることができる。
【００４２】
なお、本発明の実施の形態に係る表示機器では、見返しの前面側に表硝子が設けられ、表硝子の前面側に前面部材としての装飾部材が設けられているが、これに限らず、例えば、ケースに表示部としての文字板を収容し、この文字板の前面側に表硝子を設け、この表硝子の前面側に前面部材としての見返しを設けてもよい。
【００４３】
この場合には、表硝子と見返しとの間に遮断部材を設ければよい。このように前面部材は、装飾部材に限らず、見返しなど、どのような部材であってもよい。
【００４４】
また、表示部は、ＴＦＴ−ＬＣＤで構成された表示形態の例を示したが、これに限らず、一般的な印刷文字板を用いたメータなど、他の表示形態であってもよい。
【００４５】
さらに、遮断部材は、黒色のゴムなどの弾性材料からなる例を示したが、これに限らず、例えば、紺色の粘着部材や表硝子と前面部材との隙間を埋められる合成樹脂など、不透過性の部材であれば、色や材料などはどのようなものであってもよい。
【符号の説明】
【００４６】
１…表示機器
３…ＴＦＴ−ＬＣＤ（表示部）
５…表硝子
７…前面部材
９…遮断部材
１１…見返し
【図１】
2014006464.tif 000003
【図２】
2014006464.tif 000004
【図３】
2014006464.tif 000005